(57)【要約】      （修正有）【課題】気流圧力損失が小さく、集塵効果がよく、塵の濾過精度が高い低騒音である掃除機の拡散式集塵装置を提供する。【解決手段】塵を含んだ気流は吸気口１から集塵容器３に入って、その中の粗大塵が濾過筒４に濾過される。その後、気流はサイクロン吸気口６からサイクロン筒５に入る。円筒体９に入った後、上方から下方へと減速、回転しながら傘形反射盤１１に到着する。そのとき、気流の大部分は上向き回転気流となって排気管７から排出される。気流の小部分は遠心力により分離された塵とともに円錐形筒体１０の内壁に沿って螺旋状に流れて下方に滑り落ち、傘形反射盤１１周縁の塵落下環状間隙１３を経て集塵箱１４に入る。傘形反射盤１１の作用により、気流が反転して塵を巻き上げるのを防止し、塵埃巻き上げと空気の二次汚染を回避し、集塵の効率を高めることができる。【選択図】図１
2007167613.tif 000002
【特許請求の範囲】
【請求項１】
吸気口(1)と排気口(2)を設けた集塵容器(3)を有する掃除機の拡散式集塵装置において、集塵容器(3)に第一サイクロン装置と第二サイクロン装置を設け、第一サイクロン装置は濾過筒(4)を含み、第二サイクロン装置は濾過筒(4)の中に取り付けられたサイクロン筒(5)を含み、サイクロン筒(5)は上端の小さく、下端の大きい円錐形筒体であり、サイクロン筒(5)にサイクロン吸気口(6)を設け、濾過筒(4)は集塵容器(3)の吸気口(1)とサイクロン筒(5)のサイクロン吸気口(6)とを二つの空間に分離し、サイクロン筒(5)の上端に排気管(7)を設け、排気管(7)と排気口(2)は連接することを特徴とする集塵装置。
【請求項２】
請求項1記載の掃除機の拡散式集塵装置において、前記サイクロン筒(5)は上部に円筒体(9)と下部に円錐形筒体(10)を有し、排気管(7)は円筒体(9)の上端に連結し、サイクロン吸気口(6)は円筒体(9)の側壁上に位置し、円錐形筒体(10)の下端に塵落下口（8）を設けることを特徴とする集塵装置。
【請求項３】
請求項1記載の掃除機の拡散式集塵装置において、前記サイクロン筒(5)の下部に傘形反射盤(11)を設け、傘形反射盤(11)の中心に回流孔(12)を設け、傘形反射盤(11)の周縁とサイクロン筒(5)の側壁との間に塵落下環状間隙(13)を設けることを特徴とする集塵装置。
【請求項４】
請求項3記載の掃除機の拡散式集塵装置において、前記サイクロン筒(5)は塵落下環状間隙(13)の下部の集塵箱(14)と連接し、集塵箱(14)の下端の出口は集塵容器(3)の底板(15)に連接することを特徴とする集塵装置。
【請求項５】
請求項1、2または3記載の掃除機の拡散式集塵装置において、集塵容器(3)は容器本体(16)と容器蓋体(17)とを含み、吸気口(1)は容器本体(16)の上部に位置し、排気口(2)は容器蓋体(17)の頂部に位置し、サイクロン筒(5)上のサイクロン吸気口(6)は容器蓋体(17)の中に位置し、濾過筒(4)の上端口は容器蓋体(17)の下縁部に連接し、濾過筒(4)の下部の内壁はサイクロン筒(5)の下部周縁の外壁と緊密に連接することを特徴とする集塵装置。
【発明の詳細な説明】
【技術領域】
【０００１】
本発明は、掃除機の拡散式集塵装置に関する。
【従来の技術】
【０００２】
現在市場にある掃除機はいずれも濾過装置を取り付けている。その目的は吸入した汚れた空気を濾過して、塵や粒子を集塵装置に収納するためである。しかし、これらの掃除機を使用し、ある程度の時間を経ると、使用者は濾過装置を掃除または交換しなければならない。そうでないと、濾過装置の濾孔が細かい埃で詰まり、クリーナーのモーターの抵抗が増大し、ひどい場合、モーターを焼き壊すこともある。こうした時、使用者に面倒をかけるだけでなく、掃除機の性能及びその使用寿命に悪影響を与えることにもなる。
【０００３】
近年、製造業者はサイクロン分離の原理を利用し、濾過装置の代わりにサイクロン装置を用い、よりよい集塵効果を収めたため、これが掃除機に広範的に応用されるようになった。当該サイクロン集塵装置は集塵容器の中に、上端が大きく、下端が小さい円錐形筒体を内蔵し、円錐形筒体の上端に従方向に一つの送風管を設置し、塵が集塵容器の底に落ちるように円錐形筒体の下端に開口部を設け、吸気管が円錐形筒体の上端の側壁に位置し、かつ切線方向に沿って中に空気を進入させることにより、塵を含有する気流を円錐形筒体の中に旋風を発生させて、塵埃や顆粒が遠心力の作用のもとで円錐形筒体の側壁に沿って集塵箱の底に落下する。集塵された後の気流は上向きになり排気口を経て外へ排出される。
【０００４】
しかし、前述の集塵装置も体積が大きいという欠点があり、とくに大きな気流量が要求される大型掃除機を使用するときは、サイクロン式集塵装置の体積がさらに大きくなることにより、コストが増加するのみならず、使用者にとっても面倒である。
【０００５】
しかも、前記集塵装置の回転筒体の上端が大きく、下端が小さいという逆円錐形になり、気流の加速旋回により塵を分離させるために、気流圧力損失が比較的に大きいので、掃除機の掃除効果に影響を与えることになっている。
【０００６】
そのほか、すでに集塵容器の底に落下した微小塵埃が加速された気流により簡単に再度吹き出され、気流とともに排気管から排出されることにより、空気がふたたび汚染される結果になる。そのため、当該装置は粗大塵埃を分離することに適しているが、小さい塵埃を分離する効果は相対的に悪い。
【発明の内容】
【０００７】
本発明の目的は、気流圧力損失が小さく、集塵の効果がよく、塵の濾過精度が高く、騒音が低く、有効に二次汚染を回避し、小さい塵埃を徹底的に濾過できる、掃除機の拡散式集塵装置を提供することである。
【０００８】
本発明の技術内容は次のとおりである。すなわち、掃除機の拡散式集塵装置であって、吸気口と排気口の設けられた集塵容器を有し、当該集塵容器に、第一サイクロン装置と第二サイクロン装置が設けられ、第一サイクロン装置は濾過筒を含み、第二サイクロン装置は濾過筒に取り付けられたサイクロン筒を含み、サイクロン筒は上端の小さく、下端の大きい円錐形筒体であり、サイクロン筒にサイクロン吸気口を設け、濾過筒は集塵容器の吸気口とサイクロン筒のサイクロン吸気口とを二つの空間に分離し、サイクロン筒の上端に排気管を設け、排気管は排気口に連通するように設けられた装置である。
【０００９】
本発明のもう一つの技術内容は次のとおりである。すなわち、掃除機の拡散式集塵装置であって、吸気口と排気口の設けられた集塵容器を有し、前記集塵容器に濾過筒を設置し、濾過筒の内側にサイクロン筒が設けられ、サイクロン筒は上端の小さく、下端の大きい円錐形筒体であり、サイクロン筒にサイクロン吸気口を設け、濾過筒は集塵容器の吸気口とサイクロン筒のサイクロン吸気口とを二つの空間に分離し、サイクロン筒の上端に排気管を設け、排気管は排気口に連通する。前記サイクロン筒は上部に円筒体と下部に円錐形筒体を有し、排気管は円筒体の上端に連接し、サイクロン吸気口は円形筒体の側壁に位置し、円錐形筒体の下端に塵落下口を設けている。前記サイクロンの下部に傘形反射盤を設置し、傘形反射盤の中心に回流孔を設け、傘形反射盤の周縁とサイクロン筒の側壁との間に塵落下環状間隙を設けている。前記サイクロン筒は塵落下環状間隙の下方の集塵箱と連接し、集塵箱の下端の出口は集塵容器の底板に連接している。
【００１０】
本発明のさらなる詳細な技術内容は次のとおりである。すなわち、掃除機の拡散式集塵装置であって、吸気口と排気口の設けられた集塵容器を有し、前記集塵容器に濾過筒を設置し、濾過筒の内側にサイクロン筒が設けられ、サイクロン筒は上端の小さく、下端の大きい円錐形筒体であり、サイクロン筒にサイクロン吸気口を設け、濾過筒は集塵容器の吸気口とサイクロン筒のサイクロン吸気口とを二つの空間に分離し、サイクロン筒の上端に排気管を設け、排気管は排気口に連通する。前記サイクロン筒は上部に円筒体と下部に円錐形筒体を有し、排気管は円筒体の上端に連接し、サイクロン吸気口は円形筒体の側壁に位置し、円錐形筒体の下端に塵落下口を設けている。前記サイクロンの下部に傘形反射盤を設置し、傘形反射盤の中心に回流孔を設け、傘形反射盤の周縁とサイクロン筒の側壁との間に塵落下環状間隙を設けている。前記サイクロン筒は塵落下環状間隙の下方の集塵箱と連接し、集塵箱の下端の出口は集塵容器の底板に連接している。前記集塵容器は容器本体と容器蓋体とを含み、吸気口は容器本体の上部に位置し、排気口は容器蓋体の頂部に位置し、サイクロン筒上のサイクロン吸気口は容器蓋体の中に位置し、濾過筒の上端口は容器蓋体の下縁部に連接し、濾過筒の下部の内壁はサイクロンの下部周縁の外壁と緊密に連接している。
【００１１】
本発明の利点は次のとおりである。
【００１２】
1、本発明において、サイクロン筒は上端の小さく、下端の大きい円錐筒体であり、サイクロン吸気口と排気管の両方がサイクロン筒の上端に位置し、気流がサイクロンの中で回転するときに減速遠心状態を呈することにより、気流圧力損失が小さくなるため、掃除機の集塵効果を高めることができた。
【００１３】
2、本発明において、サイクロン筒の下部の気流の回転速度が上部のそれより遅いため、集塵箱内の塵の舞い上がる現象を回避することができる。そのため、排気管を通して排出された空気が二次汚染にさらされる心配がない。
【００１４】
3、従来の技術では、集塵容器の体積が大きく、また、微細な塵埃や顆粒の分離効果が相対的によくない。それに対して、本発明は、微細な塵埃や顆粒を分離することができ、集塵効果が一層よい。
【００１５】
4、本発明は、微細な塵埃や顆粒を排除することができるだけではなく、騒音を押さえることもできて、作動時の音が現有の技術のそれよりはるかに低い。
【具体的な実施方式】
【００１６】
実施例：第1図、第2図、第3図に示すように、掃除機の拡散式集塵装置は集塵容器3を有し、当該集塵容器3は容器本体16と容器蓋体17とからなり、容器本体16の上部の側壁に吸気口1を設置し、容器蓋体17の頂部に排気口2を設置し、集塵容器3に濾過筒4を設置し、濾過筒4の上端口が容器蓋体17の下縁に連接し、濾過筒4内にサイクロン筒5を設置し、サイクロン筒5はその上部に円筒体9と下部に円錐形筒体10を有する。円錐形筒体10の上端は小さく下端が大きい。円筒体9の上部は上方の容器蓋体17の中に進入し、円筒体9内に排気管7を設置し、排気管7は容器蓋体17の上にある排気口2に連結し、円筒体9の側壁にサイクロン吸気口6があり、円錐形筒体10の下端に塵落下口8を設置し、円錐形筒体10の下縁外壁が濾過筒4の下部の内壁と緊密に連接し、円錐形筒体10の下部に傘形反射盤11を設置し、傘形反射盤11の中心に回流孔12を設置し、傘形反射盤11の周縁と円錐形筒体10の側壁との間に塵落下環状間隙13を設置し、塵落下環状間隙13の下部は集塵箱14と連接し、集塵箱14の下端口は集塵容器3の底板15に連接している。
【００１７】
本装置を作動するとき、塵を含んでいる気流は吸気口1から集塵容器3に入って、その中の粗大塵が濾過筒4に濾過される。その後、前記気流はサイクロン吸気口6からサイクロン筒5に入る。円筒体9に入った後、上方から下方へと減速・回転しながら傘形反射盤11に到着する。そのとき、遠心力によって浄化された気流の大部分は上向き回転気流となって排気管7から排出される。気流の小部分は遠心力により分離された塵とともに円錐形筒体10の内壁に沿って螺旋状に流れて下方に滑り落ち、傘形反射盤11周縁の塵落下環状間隙13を経て集塵箱14に入る。――この時傘形反射盤11の頂部では塵の蓄積がない。――これにより、傘形反射盤11の作用により、気流が反転して塵を巻き上げるのを防止し、塵埃巻き上げと空気の二次汚染を回避し、集塵の効率を高めることができる。
【図面の簡単な説明】
【００１８】
以下においては、図面と具体的な実施例を照合して、本発明をさらに説明する：
【図１】図１は本発明の構造を示す概念図、
【図２】図２は本発明の外観を示す概念図、
【図３】図３は本発明の配置構造を示す概念図である。
【符号の説明】
【００１９】
1       吸気口
2       排気口
3       集塵容器
4       濾過筒
5       サイクロン筒
6       サイクロン吸気口
7       排気管
8       塵落下口
9       円筒体
10      円錐形筒体
11      傘形反射盤
12      回流孔
13      塵落下環状間隙
14      集塵箱
15      底板
16      容器本体
17      容器蓋体
【図１】
2007167613.tif 000003
【図２】
2007167613.tif 000004
【図３】
2007167613.tif 000005